(57)【要約】【課題】モードの切り替えに関する指示を一度だけ入力することで、複数の装置を確実に指示されたモードに遷移させることができる切替制御装置、方法およびプログラムを提供する。【解決手段】入出力装置に対してメンテナンスモードへの遷移の指示を示す入力を行うと、入出力装置は制御手段に対して入力を通知し、制御手段はモード遷移入力判定手段に対して入力がモード遷移入力であるか否かの判定を問い合わせ、切替手段は制御手段に対して該当することを通知し、制御手段はＰＣに対してメンテナンスモードへの遷移を指示し、ＰＣはメンテナンスモードへ遷移し、遷移が成功した際には制御手段に対して遷移成功を通知し、更に、制御手段は複写機に対してメンテナンスモードへの遷移を指示し、複写機はメンテナンスモードへ遷移し、遷移が成功した際には切替装置の制御手段に対して遷移成功を通知する。【選択図】図１
2008097114.tif 000002
【特許請求の範囲】
【請求項１】
複数の制御装置に接続するとともに入力装置および出力装置に接続し、該複数の制御装置と該入力装置または該出力装置との間で入出力される情報を中継する切替制御装置において、
前記入力装置および前記出力装置との間で情報を入出力する制御装置を切り替える切替手段と、
前記切替手段で前記入力装置および前記出力装置の入出力先となった制御装置と該入力装置または該出力装置との間の情報の入出力を制御処理する制御手段と、
前記制御装置のモードを遷移させるための情報をモード遷移入力として登録するモード遷移入力登録手段と、
前記モード遷移入力登録手段に基づき、前記入力装置からの情報が前記モード遷移入力であるか否か判定するモード遷移入力判定手段と
を具備し、
前記制御手段は、
前記モード遷移入力判定手段で前記入力装置からの情報が前記モード遷移入力であると判定した場合、前記制御装置に対してモードの遷移を指示する
ことを特徴とする切替制御装置。
【請求項２】
前記制御手段は、
前記モード遷移入力判定手段で前記入力装置からの情報が前記モード遷移入力であると判定した場合、少なくとも２つの制御装置に対してモードの遷移を指示する
ことを特徴とする請求項１記載の切替制御装置。
【請求項３】
前記モード遷移入力判定手段は、
前記制御装置がモードの遷移に失敗した場合の前記制御手段の動作を定義した動作情報を有し、
前記制御手段は、
前記少なくとも２つの制御装置に対してモードの遷移を指示した際に少なくとも１つの制御装置がモードの遷移に失敗した場合、前記動作情報に従った動作を行う
ことを特徴とする請求項２記載の切替制御装置。
【請求項４】
前記制御装置がモードの遷移に失敗した理由に対応した前記制御手段の動作を前記動作情報として定義する
ことを特徴とする請求項３記載の切替制御装置。
【請求項５】
前記モード遷移入力は、
前記入力装置に対する特定のキー入力である
ことを特徴とする請求項１記載の切替制御装置。
【請求項６】
複数の制御装置に接続するともに入力装置および出力装置に接続し、該複数の制御装置と該入力装置または該出力装置との間で入出力される情報の転送および切り替えを制御処理する切替制御方法において、
前記制御装置のモードを遷移させるための情報をモード遷移入力として登録するモード遷移入力登録手段に基づき、モード遷移入力判定手段が前記入力装置からの情報が該モード遷移入力であるか否か判定し、
前記モード遷移入力判定手段で前記入力装置からの情報が前記モード遷移入力であると判定した場合、制御手段が前記制御装置に対してモードの遷移を指示する
ことを特徴とする切替制御方法。
【請求項７】
前記制御手段は、
前記モード遷移入力判定手段で前記入力装置からの情報が前記モード遷移入力であると判定した場合、少なくとも２つの制御装置に対してモードの遷移を指示する
ことを特徴とする請求項６記載の切替制御方法。
【請求項８】
前記モード遷移入力判定手段は、
前記制御装置がモードの遷移に失敗した場合の前記制御手段の動作を定義した動作情報を有し、
前記制御手段は、
前記少なくとも２つの制御装置に対してモードの遷移を指示した際に少なくとも１つの制御装置がモードの遷移に失敗した場合、前記動作情報に従った動作を行う
ことを特徴とする請求項７記載の切替制御方法。
【請求項９】
前記制御装置がモードの遷移に失敗した理由に対応した前記制御手段の動作を前記動作情報として定義する
ことを特徴とする請求項８記載の切替制御方法。
【請求項１０】
前記モード遷移入力は、
前記入力装置に対する特定のキー入力である
ことを特徴とする請求項６記載の切替制御方法。
【請求項１１】
複数の制御装置に接続するともに入力装置および出力装置に接続し、該複数の制御装置と該入力装置または該出力装置との間で入出力される情報の転送および切り替えを制御処理する切替制御プログラムにおいて、
前記入力装置および前記出力装置との間で情報を入出力する制御装置を切り替える処理と、
前記切り替えにおいて前記入力装置および前記出力装置の入出力先となった制御装置と該入力装置または該出力装置との間の情報の入出力を制御処理する処理と、
モード遷移入力登録手段に登録された前記制御装置のモードを遷移させるための情報を示すモード遷移入力に基づき、前記入力装置からの情報が前記モード遷移入力であるか否か判定する処理と、
前記入力装置からの情報が前記モード遷移入力であると判定した場合、前記制御装置に対してモードの遷移を指示する処理と
をコンピュータに動作させることを特徴とする切替制御プログラム。
【請求項１２】
前記入力装置からの情報が前記モード遷移入力であると判定した場合、少なくとも２つの制御装置に対してモードの遷移を指示する処理
をコンピュータに動作させることを特徴とする請求項１１記載の切替制御プログラム。
【請求項１３】
前記少なくとも２つの制御装置に対してモードの遷移を指示した際に少なくとも１つの制御装置がモードの遷移に失敗した場合、前記制御装置がモードの遷移に失敗した場合の前記制御手段の動作を定義した動作情報に従った動作を行う処理
をコンピュータに動作させることを特徴とする請求項１２記載の切替制御プログラム。
【請求項１４】
前記制御装置がモードの遷移に失敗した理由に対応した前記制御手段の動作を前記動作情報として定義する
ことを特徴とする請求項１３記載の切替制御プログラム。
【請求項１５】
前記モード遷移入力は、
前記入力装置に対する特定のキー入力である
ことを特徴とする請求項１１記載の切替制御プログラム。
【発明の詳細な説明】
【技術分野】
【０００１】
本発明は、切替制御装置、方法およびプログラムに関し、特に、２つの制御部で１つの表示部を共有するシステムで用いられる切替制御装置、方法およびプログラムに関する。
【背景技術】
【０００２】
２つの制御部で１つの表示部を共有して使用する場合、制御部表示出力の切り替えを制御するための切替装置の判断に基づいて制御部表示出力を切り替えて表示部に表示していた。このような切替装置はＰＣ用のキーボードの切り替えにも用いられている。
【０００３】
例えば、複数の画像出力手段からのＣＲＴ表示用信号を切り替えて１つのＣＲＴに画像表示させるＣＲＴ表示切替装置がある（例えば、特許文献１参照。）。
【特許文献１】特開平６−３４８２１９号公報
【発明の開示】
【発明が解決しようとする課題】
【０００４】
しかし、特許文献１に記載のＣＲＴ表示切替装置は、画面切替に関することだけを制御し、複数の制御部の強調動作については制御部同士で解決する必要がある。例えば、エンジニアが装置のテストのために、無効にしなくてはならない処理（例えば、課金処理、外部システムへの発注処理等）があり、複数の装置を手動でメンテナンスモードに移行させる手法で複数の装置が連携動作するようなジョブを実行する際に、操作ミス等でメンテナンスモードに移行されない装置があると、無効にすべき処理が実行されてしまう可能性があった。
【０００５】
更に、複数の制御機器にほぼ同じロジックを実装し、モード遷移時にたまたま入出力装置がつながれていた方で自らのモード遷移処理と、他方へのモード遷移指示、そしてエラー発生時の動作定義を行う必要があった。
【０００６】
更に、双方の制御機器でパスワード変更処理を行う必要があり、また、いずれかの制御機器がトラブルで動作していない場合等には、パスワード不一致が発生する可能性があった。
【０００７】
そこで、本発明は、上記問題点を鑑みて、モードの切り替えに関する指示を一度だけ入力することで、複数の装置を確実に指示されたモードに遷移させることができる切替制御装置、方法およびプログラムを提供することを目的とする。
【課題を解決するための手段】
【０００８】
上記目的を達成するため、請求項１の発明は、複数の制御装置に接続するとともに入力装置および出力装置に接続し、該複数の制御装置と該入力装置または該出力装置との間で入出力される情報を中継する切替制御装置において、前記入力装置および前記出力装置との間で情報を入出力する制御装置を切り替える切替手段と、前記切替手段で前記入力装置および前記出力装置の入出力先となった制御装置と該入力装置または該出力装置との間の情報の入出力を制御処理する制御手段と、前記制御装置のモードを遷移させるための情報をモード遷移入力として登録するモード遷移入力登録手段と、前記モード遷移入力登録手段に基づき、前記入力装置からの情報が前記モード遷移入力であるか否か判定するモード遷移入力判定手段とを具備し、前記制御手段は、前記モード遷移入力判定手段で前記入力装置からの情報が前記モード遷移入力であると判定した場合、前記制御装置に対してモードの遷移を指示することを特徴とする。
【０００９】
また、請求項２の発明は、請求項１の発明において、前記制御手段は、前記モード遷移入力判定手段で前記入力装置からの情報が前記モード遷移入力であると判定した場合、少なくとも２つの制御装置に対してモードの遷移を指示することを特徴とする。
【００１０】
また、請求項３の発明は、請求項２の発明において、前記モード遷移入力判定手段は、前記制御装置がモードの遷移に失敗した場合の前記制御手段の動作を定義した動作情報を有し、前記制御手段は、前記少なくとも２つの制御装置に対してモードの遷移を指示した際に少なくとも１つの制御装置がモードの遷移に失敗した場合、前記動作情報に従った動作を行うことを特徴とする。
【００１１】
また、請求項４の発明は、請求項３の発明において、前記制御装置がモードの遷移に失敗した理由に対応した前記制御手段の動作を前記動作情報として定義することを特徴とする。
【００１２】
また、請求項５の発明は、請求項１の発明において、前記モード遷移入力は、前記入力装置に対する特定のキー入力であることを特徴とする。
【００１３】
また、請求項６の発明は、複数の制御装置に接続するともに入力装置および出力装置に接続し、該複数の制御装置と該入力装置または該出力装置との間で入出力される情報の転送および切り替えを制御処理する切替制御方法において、前記制御装置のモードを遷移させるための情報をモード遷移入力として登録するモード遷移入力登録手段に基づき、モード遷移入力判定手段が前記入力装置からの情報が該モード遷移入力であるか否か判定し、前記モード遷移入力判定手段で前記入力装置からの情報が前記モード遷移入力であると判定した場合、制御手段が前記制御装置に対してモードの遷移を指示することを特徴とする。
【００１４】
また、請求項７の発明は、請求項６の発明において、前記制御手段は、前記モード遷移入力判定手段で前記入力装置からの情報が前記モード遷移入力であると判定した場合、少なくとも２つの制御装置に対してモードの遷移を指示することを特徴とする。
【００１５】
また、請求項８の発明は、請求項７の発明において、前記モード遷移入力判定手段は、前記制御装置がモードの遷移に失敗した場合の前記制御手段の動作を定義した動作情報を有し、前記制御手段は、前記少なくとも２つの制御装置に対してモードの遷移を指示した際に少なくとも１つの制御装置がモードの遷移に失敗した場合、前記動作情報に従った動作を行うことを特徴とする。
【００１６】
また、請求項９の発明は、請求項８の発明において、前記制御装置がモードの遷移に失敗した理由に対応した前記制御手段の動作を前記動作情報として定義することを特徴とする。
【００１７】
また、請求項１０の発明は、請求項６の発明において、前記モード遷移入力は、前記入力装置に対する特定のキー入力であることを特徴とする。
【００１８】
また、請求項１１の発明は、複数の制御装置に接続するともに入力装置および出力装置に接続し、該複数の制御装置と該入力装置または該出力装置との間で入出力される情報の転送および切り替えを制御処理する切替制御プログラムにおいて、前記入力装置および前記出力装置との間で情報を入出力する制御装置を切り替える処理と、前記切り替えにおいて前記入力装置および前記出力装置の入出力先となった制御装置と該入力装置または該出力装置との間の情報の入出力を制御処理する処理と、モード遷移入力登録手段に登録された前記制御装置のモードを遷移させるための情報を示すモード遷移入力に基づき、前記入力装置からの情報が前記モード遷移入力であるか否か判定する処理と、前記入力装置からの情報が前記モード遷移入力であると判定した場合、前記制御装置に対してモードの遷移を指示する処理とをコンピュータに動作させることを特徴とする。
【００１９】
また、請求項１２の発明は、請求項１１の発明において、前記入力装置からの情報が前記モード遷移入力であると判定した場合、少なくとも２つの制御装置に対してモードの遷移を指示する処理をコンピュータに動作させることを特徴とする。
【００２０】
また、請求項１３の発明は、請求項１２の発明において、前記少なくとも２つの制御装置に対してモードの遷移を指示した際に少なくとも１つの制御装置がモードの遷移に失敗した場合、前記制御装置がモードの遷移に失敗した場合の前記制御手段の動作を定義した動作情報に従った動作を行う処理をコンピュータに動作させることを特徴とする。
【００２１】
また、請求項１４の発明は、請求項１３の発明において、前記制御装置がモードの遷移に失敗した理由に対応した前記制御手段の動作を前記動作情報として定義することを特徴とする。
【００２２】
また、請求項１５の発明は、請求項１１の発明において、前記モード遷移入力は、前記入力装置に対する特定のキー入力であることを特徴とする。
【発明の効果】
【００２３】
本発明によれば、モード遷移の判断ロジックが一箇所に集中させることができるという効果を奏する。
【００２４】
更に、本発明によれば、パスワードの変更が制御機器と独立に行うことができるという効果を奏する。
【００２５】
更に、本発明によれば、メンテナンスのテスト実行時のある種のミスを低減させることができるという効果を奏する。
【００２６】
更に、本発明によれば、複数の制御機器が一つのＵＩを共有し、協調しながら独立に動作するシステムにおいて、全ての制御機器へ同時に指示を行いたい場合であればモード遷移指示に限らずこの構成が利用できるという効果を奏する。
【発明を実施するための最良の形態】
【００２７】
以下、本発明に係る切替制御装置、方法およびプログラムの実施の形態について添付図面を参照して詳細に説明する。なお、本発明の実施の形態として、入出力装置（ＵＩ）を複写機とＰＣとが共有するシステムを一例にして説明する。ただし、入出力装置は必ずしも一体不可分である必要はなく、入力装置と出力装置とで別構成としても良い。
【００２８】
図１は、本発明に係る切替制御装置を適用したシステムの一例を示すシステム構成図である。
【００２９】
図１に示すように、本発明に係る切替制御装置を適用したシステムは、ハードボタン入力機能、タッチパネル方式によるソフトボタン入力機能を有する入出力装置１、コピー、プリント等の複写機能を処理することが可能な複写機２、ＰＣ３、入出力装置１への複写機２およびＰＣ３の表示出力を切り替える切替装置４（本発明に係る切替制御装置に相当）から構成されている。
【００３０】
入出力装置１は、タッチパネル方式によるソフトボタン入力機能を有するタッチパネル部５、画面を表示する液晶部６、「メニュー」・「スタート」・「ストップ」・「テンキー」等のハードボタン７を具備して構成される。入出力装置１はシステム内に一つだけ存在し、表示のためのデータは切替装置４から受け付け、複写機２またはＰＣ３への入力は全て切替装置４に転送する。また、ハードボタン７により切替装置４に入出力切替を指示することが可能である。
【００３１】
切替装置４は、制御手段８、切替手段９、モード遷移入力判定手段１０、モード遷移入力登録手段１１を具備して構成される。
【００３２】
なお、切替装置４はハードウェア的には汎用のコンピュータで実現でき、各構成要素が有する処理機能は、コンピュータ上で本発明に係る切替制御プログラムを実行することによって発揮される。また、各構成要素をＩＣ等を用いてハードウェアによる構築で構成することも可能である。
【００３３】
制御手段８は、各構成要素と連携をとりながら切替装置４全体の制御を行ない、複写機２またはＰＣ３からの画面出力を切替手段９の情報に従って入出力装置１に転送し、入出力装置１からの情報を複写機２またはＰＣ３に転送する。
【００３４】
切替手段９は、入出力装置１、複写機２またはＰＣ３から切替指示を受け付けると、入出力先（即ち、複写機２かＰＣ３のどちらか）を切り替える処理を行い、入出力先が切り替わったことを複写機２およびＰＣ３に通知する。
【００３５】
モード遷移入力判定手段１０は、モード遷移入力と定義される入力（例えば、特定のキー入力後にパスワード入力、キーのコンビネーション入力等）を入出力装置１から受け付けると、受け付けた入力がモード遷移入力であるか否か判定する。なお、モード遷移入力判定手段１０が入力がモード遷移入力であると判定した場合、制御手段８が複写機２およびＰＣ３の双方にモード遷移指示を転送する。この際、複写機２、ＰＣ３の双方またはどちらか一方がモード遷移に失敗した場合、モード遷移入力判定手段１０に予め登録された制御手段の動作ルール（以後、遷移ルールと称する）に従って動作（例えば、片方がモード遷移に失敗した場合はその理由に応じてモード遷移を中止する、または片方だけでも成功すればモード遷移の実施を繰り返す等）を行う。
【００３６】
モード遷移入力登録手段１１は、モード遷移入力と定義される入力を登録・削除・変更する。
【００３７】
次に、本発明を適用したシステムで行われる表示処理の手順について図２乃至図９に示すシーケンス図を参照して説明する。
【００３８】
図２は、入出力先が複写機である場合におけるシステムで行われる処理の手順を示すシーケンス図である。
【００３９】
複写機は切替装置の制御手段に対して画面出力指示を転送すると（ステップＳ２０１）、複写機からの画面出力指示を受け付けた制御手段は切替手段に対して入出力先を問い合わせ（ステップＳ２０２）、制御手段からの入出力先の問い合わせを受け付けた切替手段は制御手段に対して入出力先が複写機であることを通知し（ステップＳ２０３）、切替手段からの入出力先が複写機であることの通知を受け付けた制御手段は入出力装置に対して複写機からの画面出力を転送する（ステップＳ２０４）。
【００４０】
ＰＣは切替装置の制御手段に対して画面出力指示を転送すると（ステップＳ２０５）、ＰＣからの画面出力指示を受け付けた制御手段は切替手段に対して入出力先を問い合わせ（ステップＳ２０６）、制御手段からの入出力先の問い合わせを受け付けた切替手段は制御手段に対して入出力先が複写機であることを通知し（ステップＳ２０３）、切替手段からの入出力先が複写機であることの通知を受け付けた制御手段は入出力装置に対するＰＣからの画面出力の転送を行わない。
【００４１】
ユーザが入出力装置に対して入力（通常入力）を行うと（ステップＳ２０８）、入出力装置は切替装置の制御手段に対して入力を通知し（ステップＳ２０９）、入出力装置からの入力の通知を受け付けた制御手段は切替手段に対して入出力先を問い合わせ（ステップＳ２１０）、制御手段からの入出力先の問い合わせを受け付けた切替手段は制御手段に対して入出力先が複写機であることを通知し（ステップＳ２１１）、切替手段からの入出力先が複写機であることの通知を受け付けた制御手段は複写機に対して入出力装置からの入力を通知する（ステップＳ２１２）。
【００４２】
図３は、入出力先を複写機からＰＣに切り替える場合におけるシステムで行われる処理の手順を示すシーケンス図である。
【００４３】
ユーザが入出力装置に対してＰＣへの切替指示の入力を行うと（ステップＳ３０１）、入出力装置は切替装置の制御手段に対してＰＣへの切替を指示し（ステップＳ３０２）、入出力装置からのＰＣへの切替指示を受け付けた制御手段は切替手段に対してＰＣへの切替を指示し（ステップＳ３０３）、制御手段からのＰＣへの切替指示を受け付けた切替手段はＰＣに対して入出力先をＰＣに切り替えることを通知するとともに（ステップＳ３０４）、複写機に対して入出力先をＰＣに切り替えることを通知する（ステップＳ３０５）。
【００４４】
ユーザが入出力装置に対して入力（通常入力）を行うと（ステップＳ３０６）、入出力装置は切替装置の制御手段に対して入力を通知し（ステップＳ３０７）、入出力装置からの入力の通知を受け付けた制御手段は切替手段に対して入出力先を問い合わせ（ステップＳ３０８）、制御手段からの入出力先の問い合わせを受け付けた切替手段は制御手段に対して入出力先がＰＣであることを通知し（ステップＳ３０９）、切替手段からの入出力先がＰＣであることの通知を受け付けた制御手段はＰＣに対して入出力装置からの入力を通知する（ステップＳ３１０）。
【００４５】
ＰＣは切替装置の制御手段に対して画面出力指示を転送すると（ステップＳ３１１）、ＰＣからの画面出力指示を受け付けた制御手段は切替手段に対して入出力先を問い合わせ（ステップＳ３１２）、制御手段からの入出力先の問い合わせを受け付けた切替手段は制御手段に対して入出力先がＰＣであることを通知し（ステップＳ３１３）、切替手段からの入出力先がＰＣであることの通知を受け付けた制御手段は入出力装置に対してＰＣからの画面出力を転送する（ステップＳ３１４）。
【００４６】
図４は、特殊な入力によって入出力先を複写機からＰＣに切り替える場合におけるシステムで行われる処理の手順を示すシーケンス図である。
【００４７】
ユーザが入出力装置に対して複写機でのみ識別可能なＰＣへの切替指示を示す入力（以後、特殊入力と称する）を行うと（ステップＳ４０１）、入出力装置は切替装置の制御手段に対して特殊入力を通知し（ステップＳ４０２）、入出力装置からの特殊入力の通知を受け付けた制御手段は切替手段に対して入出力先を問い合わせ（ステップＳ４０３）、制御手段からの入出力先の問い合わせを受け付けた切替手段は制御手段に対して入出力先が複写機であることを通知し（ステップＳ４０４）、切替手段からの入出力先が複写機であることの通知を受け付けた制御手段は複写機に対して入出力装置からの特殊入力を通知し（ステップＳ４０５）、切替装置の制御手段からの特殊入力の通知を受け付けた複写機はその特殊入力をＰＣへの切替指示と判断し（ステップＳ４０６）、切替装置の制御手段に対してＰＣへの切替を指示し（ステップＳ４０７）、複写機からのＰＣへの切替指示を受け付けた制御手段は切替手段に対してＰＣへの切替を指示し（ステップＳ４０８）、制御手段からのＰＣへの切替指示を受け付けた切替手段はＰＣに対して入出力先をＰＣに切り替えることを通知するとともに（ステップＳ４０９）、複写機に対して入出力先をＰＣに切り替えることを通知する（ステップＳ４１０）。
【００４８】
図５は、複写機にトラブルが発生したために出力先をＰＣから複写機に切り替える場合におけるシステムで行われる処理の手順を示すシーケンス図である。
【００４９】
複写機で紙詰まりが発生すると（ステップＳ５０１）、複写機は切替装置の制御手段に対して複写機への切替を指示し（ステップＳ５０２）、複写機からの複写機への切替指示を受け付けた制御手段は切替手段に対して複写機への切替を指示し（ステップＳ５０３）、制御手段からの複写機への切替指示を受け付けた切替手段はＰＣに対して入出力先を複写機に切り替えることを通知するとともに（ステップＳ５０４）、複写機に対して入出力先を複写機に切り替えることを通知し（ステップＳ５０５）、切替装置の切替手段からの入出力先を複写機に切り替える通知を受け付けた複写機は切替装置の制御手段に対してエラー画面の出力指示を転送し（ステップＳ５０６）、複写機からのエラー画面の出力指示を受け付けた制御手段は切替手段に対して入出力先を問い合わせ（ステップＳ５０７）、制御手段からの入出力先の問い合わせを受け付けた切替手段は制御手段に対して入出力先が複写機であることを通知し（ステップＳ５０８）、切替手段からの入出力先が複写機であることの通知を受け付けた制御手段は入出力装置に対して複写機からのエラー画面出力を転送し（ステップＳ５０９）、切替装置の制御手段からのエラー画面を受け付けた入出力装置はエラー画面を表示する（ステップＳ５１０）。
【００５０】
図６は、複写機およびＰＣをメンテナンスモードに遷移させる場合におけるシステムで行われる処理の手順を示すシーケンス図である。
【００５１】
ユーザが入出力装置に対して入力（通常入力）を行うと（ステップＳ６０１）、入出力装置は切替装置の制御手段に対して入力を通知し（ステップＳ６０２）、入出力装置からの入力の通知を受け付けた制御手段はモード遷移入力判定手段に対して入力がモード遷移入力であるか否かの判定を問い合わせ（ステップＳ６０３）、制御手段からのモード遷移入力の判定の問い合わせを受け付けた切替手段は制御手段に対してモード遷移入力には該当しないことを通知し（ステップＳ６０４）、モード遷移入力手段からのモード遷移入力には該当しない通知を受け付けた制御手段は切替手段に対して入出力先を問い合わせ（ステップＳ６０５）、制御手段からの入出力先の問い合わせを受け付けた切替手段は制御手段に対して入出力先が複写機であることを通知し（ステップＳ６０６）、切替手段からの入出力先が複写機であることの通知を受け付けた制御手段は複写機に対して入出力装置からの入力を通知する（ステップＳ６０７）。
【００５２】
ユーザが入出力装置に対してモード遷移入力と定義されるメンテナンスモードへの遷移の指示を示す入力を行うと（ステップＳ６０８）、入出力装置は切替装置の制御手段に対して入力を通知し（ステップＳ６０９）、入出力装置からの入力の通知を受け付けた制御手段はモード遷移入力判定手段に対して入力がモード遷移入力であるか否かの判定を問い合わせ（ステップＳ６１０）、制御手段からのモード遷移入力の判定の問い合わせを受け付けたモード遷移入力判定手段は制御手段に対してメンテナンスモードへの遷移の指示を示す入力に該当することを通知し（ステップＳ６１１）、モード遷移入力手段からのメンテナンスモードへの遷移の指示を示す入力に該当する通知を受け付けた制御手段はＰＣに対してメンテナンスモードへの遷移を指示し（ステップＳ６１２）、切替装置の制御手段からのメンテナンスモードへの遷移の指示を受け付けたＰＣはメンテナンスモードへ遷移し、遷移が成功した際には切替装置の制御手段に対して遷移成功を通知し（ステップＳ６１３）、更に、制御手段は複写機に対してメンテナンスモードへの遷移を指示し（ステップＳ６１４）、切替装置の制御手段からのメンテナンスモードへの遷移の指示を受け付けた複写機はメンテナンスモードへ遷移し、遷移が成功した際には切替装置の制御手段に対して遷移成功を通知する（ステップＳ６１５）。
【００５３】
図７は、複写機およびＰＣのメンテナンスモードへの遷移が失敗した場合におけるシステムで行われる処理の手順を示すシーケンス図である。
【００５４】
ユーザが入出力装置に対してモード遷移入力と定義されるメンテナンスモードへの遷移の指示を示す入力を行うと（ステップＳ７０１）、入出力装置は切替装置の制御手段に対して入力を通知し（ステップＳ７０２）、入出力装置からの入力の通知を受け付けた制御手段はモード遷移入力判定手段に対して入力がモード遷移入力であるか否かの判定を問い合わせ（ステップＳ７０３）、制御手段からのモード遷移入力の判定の問い合わせを受け付けた切替手段は制御手段に対してメンテナンスモードへの遷移の指示を示す入力に該当することを通知し（ステップＳ７０４）、モード遷移入力手段からのメンテナンスモードへの遷移の指示を示す入力に該当する通知を受け付けた制御手段はＰＣに対してメンテナンスモードへの遷移を指示し（ステップＳ７０５）、切替装置の制御手段からのメンテナンスモードへの遷移の指示を受け付けたＰＣはメンテナンスモードへ遷移し、遷移が成功した際には切替装置の制御手段に対して遷移成功を通知し（ステップＳ７０６）、更に、制御手段は複写機に対してメンテナンスモードへの遷移を指示し（ステップＳ７０７）、切替装置の制御手段からのメンテナンスモードへの遷移の指示を受け付けた複写機がジョブ処理中のためにメンテナンスモードへ遷移できない場合、複写機は切替装置の制御手段に対してジョブ処理中を理由とする遷移失敗を通知し（ステップＳ７０８）、複写機からのジョブ処理中を理由とする遷移失敗の通知を受け付けた切替装置の制御手段はモード遷移入力判定手段に対して遷移ルールの参照を指示し（ステップＳ７０９）、制御手段からの遷移ルールの参照の指示を受け付けたモード遷移入力判定手段はジョブ処理中に対応する遷移ルールを参照し、参照した遷移ルールが遷移中止である場合、モード遷移入力判定手段は制御手段に対して遷移中止を通知し（ステップＳ７１０）、モード遷移入力判定手段からの遷移中止の通知を受け付けた切替装置の制御手段はＰＣに対して通常モードへの遷移を指示し（ステップＳ７１１）、切替装置の制御手段からの通常モードへの遷移の指示を受け付けたＰＣは通常モードへ遷移し、遷移が成功した際には切替装置の制御手段に対して遷移成功を通知する（ステップＳ７１２）。
【００５５】
なお、ＰＣを通常モードに戻すための実装方法として、「モード遷移予約」をした後に「モード遷移確定」をする等がある。
【００５６】
図８は、複写機およびＰＣのメンテナンスモードへの遷移が失敗した場合におけるシステムで行われる処理の手順を示すシーケンス図である。
【００５７】
ユーザが入出力装置に対してモード遷移入力と定義されるメンテナンスモードへの遷移の指示を示す入力を行うと（ステップＳ８０１）、入出力装置は切替装置の制御手段に対して入力を通知し（ステップＳ８０２）、入出力装置からの入力の通知を受け付けた制御手段はモード遷移入力判定手段に対して入力がモード遷移入力であるか否かの判定を問い合わせ（ステップＳ８０３）、制御手段からのモード遷移入力の判定の問い合わせを受け付けた切替手段は制御手段に対してメンテナンスモードへの遷移の指示を示す入力に該当することを通知し（ステップＳ８０４）、モード遷移入力手段からのメンテナンスモードへの遷移の指示を示す入力に該当する通知を受け付けた制御手段はＰＣに対してメンテナンスモードへの遷移を指示し（ステップＳ８０５）、切替装置の制御手段からのメンテナンスモードへの遷移の指示を受け付けたＰＣはメンテナンスモードへ遷移し、遷移が成功した際には切替装置の制御手段に対して遷移成功を通知し（ステップＳ８０６）、更に、制御手段は複写機に対してメンテナンスモードへの遷移を指示し（ステップＳ８０７）、切替装置の制御手段からのメンテナンスモードへの遷移の指示を受け付けた複写機が電源オフのためにメンテナンスモードへ遷移できない場合、複写機は切替装置の制御手段に対して電源オフを理由とする遷移失敗を通知し（ステップＳ８０８）、複写機からの電源オフを理由とする遷移失敗の通知を受け付けた切替装置の制御手段はモード遷移入力判定手段に対して遷移ルールの参照を指示し（ステップＳ８０９）、制御手段からの遷移ルールの参照の指示を受け付けたモード遷移入力判定手段は電源オフに対応する遷移ルールを参照し、参照した遷移ルールが遷移続行である場合、モード遷移入力判定手段は制御手段に対して遷移続行を通知し（ステップＳ８１０）、モード遷移入力判定手段からの遷移続行の通知を受け付けた切替装置の制御手段は複写機に対してメンテナンスモードへの遷移を指示する（ステップＳ８１１）。
【００５８】
図９は、モード遷移入力登録手段に登録されているモード遷移入力の定義を変更する場合におけるシステムで行われる処理の手順を示すシーケンス図である。
【００５９】
ユーザが入出力装置に対してモード遷移入力の定義（パスワード）の変更の指示を示す入力を行うと（ステップＳ９０１）、入出力装置は切替装置の制御手段に対して入力を通知し（ステップＳ９０２）、入出力装置からの入力の通知を受け付けた制御手段はモード遷移入力登録手段に対してパスワードの変更を指示する（ステップＳ９０３）。
【００６０】
なお、パスワードの変更以外にも、遷移失敗時等の遷移ルールの登録・削除・変更も同様のシーケンスで行う。
【００６１】
なお、ＰＣ／複写機と独立にモード遷移用のパスワードを変更することも可能である。
【００６２】
本発明は、上記し、且つ図面に示した実施例に限定することなく、その要旨を変更しない範囲内で適宜変形して実施できるものである。
【図面の簡単な説明】
【００６３】
【図１】本発明に係る切替制御装置を適用したシステムの一例を示すシステム構成図である。
【図２】入出力先が複写機である場合におけるシステムで行われる処理の手順を示すシーケンス図である。
【図３】入出力先を複写機からＰＣに切り替える場合におけるシステムで行われる処理の手順を示すシーケンス図である。
【図４】特殊な入力によって入出力先を複写機からＰＣに切り替える場合におけるシステムで行われる処理の手順を示すシーケンス図である。
【図５】複写機にトラブルが発生したために出力先をＰＣから複写機に切り替える場合におけるシステムで行われる処理の手順を示すシーケンス図である。
【図６】複写機およびＰＣをメンテナンスモードに遷移させる場合におけるシステムで行われる処理の手順を示すシーケンス図である。
【図７】複写機およびＰＣのメンテナンスモードへの遷移が失敗した場合におけるシステムで行われる処理の手順を示すシーケンス図である。
【図８】複写機およびＰＣのメンテナンスモードへの遷移が失敗した場合におけるシステムで行われる処理の手順を示すシーケンス図である。
【図９】モード遷移入力登録手段に登録されているモード遷移入力の定義を変更する場合におけるシステムで行われる処理の手順を示すシーケンス図である。
【符号の説明】
【００６４】
１    入出力装置
２    複写機
３    ＰＣ
４    切替装置
５    タッチパネル部
６    液晶部
７    ハードボタン
８    制御手段
９    切替手段
１０    モード遷移入力判定手段
１１    モード遷移入力登録手段
【図１】
2008097114.tif 000003
【図２】
2008097114.tif 000004
【図３】
2008097114.tif 000005
【図４】
2008097114.tif 000006
【図５】
2008097114.tif 000007
【図６】
2008097114.tif 000008
【図７】
2008097114.tif 000009
【図８】
2008097114.tif 000010
【図９】
2008097114.tif 000011